(57)【要約】【課題】  従来は個人情報等の管理が無防備な為にコンピューター内の重要データや、インターネットを介して重要データが引き出される等の、情報漏洩が社会問題化している。【解決手段】  前記問題を解決する為に、コンピューター内の個人情報等の保存データを別の認知認識置換データに置き換える処理変換をして保存する事でデータは変換後のデータとなり、もしも他メディアにコピー等で引き出そうとしてもデータが置き換え変換後のデータのみとなる事で認識不可能となる。つまり、認知認識データへの置換による再構築処理をしなければ、正規のデータには戻らず全く別のデータとなる。この認知認識置換データとは、Ｂｉｌｌｙが青の様に認知認識されている単語や語句や数値に置き換える事で解読出来なくするものである。万が一データが漏洩してもその本質の意味は一部の認知認識変換コードと変換用情報を持っていなければ、解読は全く不可能となる。【選択図】    図１
2007048243.tif 000002
【特許請求の範囲】
【請求項１】
重要データを認知認識されている単語や語句や数値に置き換える事で情報の判別を困難にすることを特徴とする。
【請求項２】
請求項１の認知認識データ置換の基礎となる単語や語句や数値を情報記憶メディアに記憶して、その記憶データを特定の法則に則って変更した順番を確定させて認知認識データ置換の変換処理を行う事を特徴とする。
【請求項３】
請求項１の認知認識データ置換処理を一度以上行う事を可能とし、複数回の置換処理には複数個の再構築キーを作成する事を特徴とする。
【請求項４】
請求項１の認知認識データ置換処理のような情報処理において、ＵＳＢメモリー二個を二段重ねの構造にする事によって、情報管理の分割化をする事を特徴とする。
【請求項５】
請求項４の二段重ねＵＳＢメモリーの、二段側の二次ＵＳＢメモリーに於いて二次ＵＳＢメモリー接続用オス部を収納する事を特徴とする。
【発明の詳細な説明】
【技術分野】
【０００１】  本発明は個人情報等の管理が無防備な為にコンピューター内の重要データや、インターネットを介して重要データが引き出されてしまっても、正規情報に変換出来ない事や、特定の状態下では重要データそのものがアクセス出来ない事で、情報漏洩を未然に防ぐ為の高度防衛セキュリティシステムを提案するものである。
【背景技術】
【０００２】  従来のセキュリティは情報のブロック化が主流であり、重要情報データはブロックが解除された後は幾らでも引き出す事が出来て、更に数万の人間の個人情報もデータは変更される事も無い通常のデータの為に、他メディアにコピーされて、他のコンピューターで簡単に閲覧出来てしまうのが現状である。又、暗号化情報の出し入れには相当の時間が掛かる事が有るので、殆ど活用されていない。
【発明の開示】
【発明が解決しようとする課題】
【０００３】  上記の如く、従来のセキュリティは個人情報等の管理が無防備な為にコンピューター内の重要データや、インターネットを介して重要データが引き出されて、情報漏洩が社会問題化している。更にＵＳＢメモリーの活用方法は、まだ出し尽くされたとは言えない。
【課題を解決するための手段】
【０００４】    この課題を解決するための請求項１の発明は、重要データを認知認識されている単語や語句や数値に置き換える事で情報の判別を困難にすることを特徴とする。この認知認識データ置換の変換処理とは、Ｂｉｌｌｙが青とか、北が佐藤とか、１０，０００，０００円が鈴木とかの様に、認知認識されている単語や語句や数値に置き換えてデータを保存する事で、認知認識データ置換の再構築処理が行われるまでは認識不可能とするものである。【０００５】  請求項２の発明は、請求項１の認知認識データ置換の基礎となる単語や語句や数値を情報記憶メディアに記憶して、その記憶データを特定の法則に則って変更した順番を確定させて認知認識データ置換の変換処理を行う事を特徴とする。認知認識データ置換の基礎となる単語や語句や数値をコンピューター内のデータから構築する事も可能である。この認知認識データ置換の基礎情報をＣＤやＤＶＤにして遠方の各所に配布し、それを一定の年月で交換しながら、インターネットのセキュリティ情報のやり取りをする事も可能である。このネットワーク化で一段上のセキュリティ社会が構築出来る。【０００６】  請求項３の発明は、請求項１の認知認識データ置換処理を一度以上行う事を可能とし、複数回の置換処理には複数個の再構築キーを作成する事を特徴とする。キーを複数人で分割して持つ事で安全性を高める。又、名前の情報、住所の情報、その他の情報とそれぞれで再構築キーを分ければ不要な表示や情報漏洩を防げる。【０００７】  請求項１の認知認識データ置換処理のような情報処理において、ＵＳＢメモリー二個を二段重ねの構造にする事によって、情報管理の分割化をする事を特徴とする。これにより認知認識データ置換処理をスムーズに行い、記憶域を増強出来て、更に重要データ保存を分割する事で、直ぐに二人に分割して管理する事が可能になる。ＵＳＢメモリーは二個のリムーバブル記憶域としても使用出来るが、一つのリムーバブル記憶域として接続すればメモリーの拡大と新たなデータの組み換え構造の幅が広がる。最初に接続するＵＳＢメモリーを一次ＵＳＢメモリーとして、それに接続するメモリーを二次ＵＳＢメモリーとする。【０００８】  請求項５の発明は、請求項４の二段重ねＵＳＢメモリーの、二段側の二次ＵＳＢメモリーに於いて二次ＵＳＢメモリー接続用オス部を収納する事を特徴とする。これにより二次ＵＳＢメモリー接続用オス部の突起部分を傷つける事無く、又キャップも付けずに持ち運び易くなる事で、取り扱いの利便性が増す。更に既存のＵＳＢメモリーと本発明との差別化が可能となる。この二次ＵＳＢメモリーの接続用オス部は収納状態から直角に出来るが、１８０度回転させる事も可能である。
【発明の効果】
【０００９】  本発明により、個人情報等の管理が無防備な為にコンピューター内の重要データや、インターネットを介して重要データが引き出されたりする、情報漏洩が簡単に起こる事を防止する効果がある。更に幾つものデータを分割して情報別に認知認識データ置換の変換処理をしてパスワードコードキーを複数人で持つ事で一人の関係者が入手出来る情報に規制を加えて情報漏洩を未然に防ぐ効果がある。更にＵＳＢメモリーの二段重ね構造は、記憶容量の増加と情報の分散化に役立つ。
【発明を実施するための最良の形態】
【００１０】  以下に、本発明の実施の形態を図面に基づき説明する。【００１１】  図１は請求項１、２，３の本発明の標準的形態を表す。図１に基づき説明すると、基礎となる単語や語句や数値を記憶させた置換用基礎データ６を使って、その情報を特定の法則に則って二次元、又は三次元の表の様に作りその中に置換用のデータ等をはめ込み順番を確定させる、又は確定済みの数種類以上の置換用基礎データ６を記憶メディアに入れて置いてもよい。先ずその状態で、変換前データ１を置換用基礎データ６を使って一次置換処理部２で置換して一次変換後データ３に置き換える。更にセキュリティを上げるにはその一次変換後データ３を別の二次置換処理部４の置換処理を通して二次変換後データ５に置き換える。一定量の認知認識データに置き換える毎に、一次置換処理コード７のコードキーと，二次置換処理コード８のコードキーが出来る。更にそれを二つのＵＳＢメモリーに分割する場合は片方が７−１と８−１でコードキーＡとＢになり、同様にもう片方が７−２と８−２でコードキーＣとＤになる。よってこの作業では二つから四つのコードキーがＵＳＢメモリー側に持てるが、メモリー以外にコードキーを持つ事も可能である。ＵＳＢメモリー側に置換後データ５を置く事で不必要な時は外しておける。更に置換用基礎データ６もＵＳＢメモリー側に置く事も可能である。【００１２】  図２と図３は請求項４の本発明の形態を表す。図２と図３に基づき説明すると、一次ＵＳＢメモリー本体９にコンピューター側一次ＵＳＢ接続部１０の近くに二次ＵＳＢ接続用保護蓋１１を配して開け閉めを可能にして、その蓋の内側に二次ＵＳＢ接続用メス部１３を設ける。二次ＵＳＢ接続用メス部１３は本体から突き出る形も可能である。次に二次ＵＳＢメモリー本体１４に二次ＵＳＢ接続用オス部１５を下側に向けて配し、一次ＵＳＢメモリー本体９との接続を可能にする、更に二次ＵＳＢ機能切り替えスイッチ１６を二次ＵＳＢメモリー本体１４の表面に配し機能の切り替えに使うようにする。一次からの二次ＵＳＢ取り外し用に溝１２を付ける。二次ＵＳＢ機能切り替えスイッチ１６は市販の通常ＵＳＢに設置されている書き込み禁止用スイッチとは機能が別の物である。更に請求項５の二次ＵＳＢ接続用回転可動部１７と、その二次ＵＳＢ接続部分収納部１８の形状も表している。【００１３】  図４と図５は請求項５の本発明の形態を表す。図４は図３の断面図であり、図５は図３の可動後の断面図である。その図に基づき説明すると、図４の二次ＵＳＢメモリー本体１４に二次ＵＳＢ接続用オス部１５を９０度回転して配し、その可動の為に二次ＵＳＢ接続用回転可動部１７を丸くし、二次ＵＳＢ接続部分回転軸部１９で二次ＵＳＢ接続用オス部１５を支えて、二次ＵＳＢ接続部分回転止め部２０で９０度を維持する。二次ＵＳＢ接続部分回転止め部２０を削れば、１８０度も可能となる。次に図５では二次ＵＳＢメモリー本体１４に二次ＵＳＢ接続部分収納部１８の切り込み部分を作り、二次ＵＳＢ接続用オス部１５を回転させる事で収納を可能としている。
【産業上の利用可能性】
【００１４】  本発明には多様なセキュリティの可能性が挙げられる、使い方によって大企業の膨大な情報管理等から、個人の小さな情報管理まで様々なカテゴリーに対応する為、コンピューターシステムの新たなセキュリティ管理会社等の創設等、産業上の利用可能性を有する。
【図面の簡単な説明】
【００１５】
【図１】  本発明請求項１、２，３の認知認識データ置換処理に係わる標準的形態を表す。
【図２】  本発明請求項４のＵＳＢメモリー二個を二段重ねにする形態の、一次ＵＳＢメモリーの外観を表す。
【図３】  本発明請求項４の二次ＵＳＢメモリーの外観を表す。
【図４】  本発明請求項５の二次ＵＳＢメモリーの二次ＵＳＢ接続用オス部の９０度回転での断面図を表す。
【図５】  本発明請求項５の二次ＵＳＢメモリーの二次ＵＳＢ接続用オス部収納状態での断面図を表す。
【符号の説明】
【００１６】    １        変換前データ
２        一次置換処理部
３        一次変換後データ
４        二次置換処理部
５        二次変換後データ
６        置換用基礎データ
７        一次置換処理コード
７−１    コードキーＡ
７−２    コードキーＢ
８        二次置換処理コード
８−１    コードキーＣ
８−２    コードキーＤ
９        一次ＵＳＢメモリー本体
１０      コンピューター側一次ＵＳＢ接続部
１１      二次ＵＳＢ接続用保護蓋
１２      二次ＵＳＢ取り外し用溝
１３      二次ＵＳＢ接続用メス部
１４      二次ＵＳＢメモリー本体
１５      二次ＵＳＢ接続用オス部
１６      二次ＵＳＢ機能切り替えスイッチ
１７      二次ＵＳＢ接続用回転可動部
１８      二次ＵＳＢ接続部分収納部
１９      二次ＵＳＢ接続部分回転軸部
２０      二次ＵＳＢ接続部分回転止め部
【図１】
2007048243.tif 000003
【図２】
2007048243.tif 000004
【図３】
2007048243.tif 000005
【図４】
2007048243.tif 000006
【図５】
2007048243.tif 000007